(57)【要約】【課題】  装置毎にユニット化して小型化を図って室内への設置を可能とし、更にユニット同士を縦横双方に連結可能として要求する設備を省スペースで構成できる高圧受電設備を提供する。【解決手段】  ユニットは電力需給用計器用変圧変流器１１を組み付けたＶＣＴユニット１と、真空高圧交流遮断器２１を組み付けたＶＣＢユニット２と、変圧器３１を組み付けたＴユニット３と、高圧進相コンデンサ４１を組み付けたＣユニット４と、限流ヒューズ付き高圧交流負荷開閉器５１を組み付けたＬＢＳユニット５とを少なくとも有し、それぞれのユニットは、幅及び奥行きが同一寸法で規格化されて上下及び左右方向の連結を可能とした箱形フレームＦ内に組み付けられ、ユニットのうちの少なくとも２種類のユニットが上下左右の少なくとも何れかの方向に連結されて構成される。【選択図】  図１
2016096699.tif 000002
【特許請求の範囲】
【請求項１】
高圧受電設備の構成要素が組み付けられた複数種類のユニットを組み合わせることで構成される高圧受電設備であって、
前記ユニットは、電力需給用計器用変圧変流器を組み付けたＶＣＴユニットと、
真空高圧交流遮断器を組み付けたＶＣＢユニットと、
変圧器を組み付けたＴユニットと、
高圧進相コンデンサを組み付けたＣユニットと、
限流ヒューズ付き高圧交流負荷開閉器を組み付けたＬＢＳユニットとを少なくとも有し、
それぞれのユニットは、幅及び奥行きが規格化されて上下及び左右方向の連結を可能とした箱形フレーム内に組み付けられ、
前記ユニットのうちの少なくとも２種類のユニットが上下左右の少なくとも何れかの方向に連結されて成ることを特徴とする高圧受電設備。
【請求項２】
前記箱形フレームは少なくとも骨組み構造を有し、組み付ける装置に応じてフレーム部材及び／又は計器取付のためのパネルが追加されて取り付けられることを特徴とする請求項１記載の高圧受電設備。
【発明の詳細な説明】
【技術分野】
【０００１】
本発明は高圧受電設備に関し、特に変圧器やコンデンサ等の装置毎にユニット化し、ユニットを連結して必要とする設備を構成する高圧受電設備に関する。
【背景技術】
【０００２】
従来より、機能別にユニット化した高圧受電設備がある。例えば特許文献１では、高圧受電ユニット、三相変圧器ユニット、単相変圧器ユニット等を独立したキュービクル（ユニット）に収納して、必要なユニットを横方向に連結して或いは単独で高圧受電設備を構成した。
【先行技術文献】
【特許文献】
【０００３】
【特許文献１】特開平１０−３１３５１１号公報
【発明の概要】
【発明が解決しようとする課題】
【０００４】
上記ユニット化した高圧受電設備は、例えば高圧受電ユニットであれば、電力需給用計器用変圧変流器（ＶＣＴ）、限流ヒューズ付き高圧交流負荷開閉器（ＬＢＳ）、真空高圧交流遮断器（ＶＣＢ）等が組み付けられていた。また、高圧コンデンサ盤の場合は、開閉器ＰＣ、ＬＢＳ、コンデンサ、リアクトル等が組み付けけられていた。
この場合、高圧受電ユニットと高圧コンデンサ盤とで同一のＬＢＳが組み付けられているが、ユニット毎に設置スペースが異なるため設置する盤が異なっていた。このように、同一の装置を組み付ける場合であっても、盤の標準化は難しく共通化されてはいなかった。また、横方向に接続する構成を前提にしているため、連結するユニット数に比例して設置スペースが増大した。更に、屋外での設置を前提としているため密閉構造を採用しているし、個々のユニットが大きいため建屋内の電気室等に持ち運んで設置できなかった。
【０００５】
そこで、本発明はこのような問題点に鑑み、ＶＣＴやＶＣＢ等の装置毎にユニット化して小型化を図って室内への設置を可能とし、更にユニットを縦横双方に連結可能として要求する設備を省スペースで構成できる高圧受電設備を提供することを目的としている。
【課題を解決するための手段】
【０００６】
上記課題を解決する為に、請求項１の発明は、高圧受電設備の構成要素が組み付けられた複数種類のユニットを組み合わせることで構成される高圧受電設備であって、ユニットは、電力需給用計器用変圧変流器を組み付けたＶＣＴユニットと、真空高圧交流遮断器を組み付けたＶＣＢユニットと、変圧器を組み付けたＴユニットと、高圧進相コンデンサを組み付けたＣユニットと、限流ヒューズ付き高圧交流負荷開閉器を組み付けたＬＢＳユニットとを少なくとも有し、それぞれのユニットは、幅及び奥行きが規格化されて上下及び左右方向の連結を可能とした箱形フレーム内に組み付けられ、ユニットのうちの少なくとも２種類のユニットが上下左右の少なくとも何れかの方向に連結されて成ることを特徴とする。
この構成によれば、装置毎にユニット化することで個々のユニットの小型化を図ることができ、ドア幅より狭い寸法で且つドアの高さより低い寸法でユニットの作製が可能となり、室内へ持ち運んで設置することが可能となる。そして、ユニットの組み合わせにより必要な装置を備えた高圧受電設備を構築できるため、高圧受電設備を構築するたびに機器のレイアウトを考慮する必要が無いし、取り付けるための盤を新たに作成する必要もなくなる。また、ユニットの幅及び奥行き寸法が規格化されることで、フレームの種類を削減できるし、ユニットの連結もし易い。加えて、上下方向に連結できるため省スペースで設置できる。
【０００７】
請求項２の発明は、請求項１に記載の構成において、箱形フレームは少なくとも骨組み構造を有し、組み付ける装置に応じてフレーム部材及び／又は計器取付のためのパネルが追加されて取り付けられることを特徴とする。
この構成によれば、箱形フレームは側板等の閉塞部材を持った構造を基本とするため、装置の取り付けがし易いし、ユニット同士の連結やユニット間のケーブルの挿通も容易に実施できる。
【発明の効果】
【０００８】
本発明によれば、装置毎にユニット化することで個々のユニットの小型化を図ることができ、ドア幅より狭い寸法でユニットの作製が可能となり、室内へ持ち運んで設置することが可能となる。そして、ユニットの組み合わせにより必要な装置を備えた高圧受電設備を構築できるため、高圧受電設備を構築するたびに機器のレイアウトを考慮する必要が無いし、取り付けるための盤を新たに作成する必要もなくなる。また、上下方向にも連結することで省スペースで設置できる。
【図面の簡単な説明】
【０００９】
【図１】本発明に係る高圧受電設備の一例を示し、２種類のユニットを連結して構成した高圧ＶＣＢ受電盤の正面説明図である。
【図２】図１の高圧ＶＣＢ受電盤の左側面説明図である。
【図３】図１の高圧受電設備を構成するユニット単独の正面説明図である。
【図４】図１の高圧受電設備を構成するユニット単独のの正面説明図である。
【図５】他のユニットを示し、変圧器収納盤ユニットの正面説明図である。
【図６】他のユニットを示し、コンデンサ収納盤ユニットの正面説明図である。
【図７】他のユニットを示し、限流ヒューズ付き高圧交流負荷開閉器収納盤ユニットの正面説明図である。
【図８】高圧受電設備の他の構成を示す正面図である。
【図９】高圧受電設備の他の構成を示す正面図である。
【図１０】縦に加えてユニットを横にも連結した高圧受電設備の説明図である。
【発明を実施するための形態】
【００１０】
以下、本発明を具体化した実施の形態を、図面を参照して詳細に説明する。図１，図２は本発明に係る高圧受電設備の一つである高圧ＶＣＢ受電盤を示し、図１は正面図、図２は左側面図である。この高圧ＶＣＢ受電盤は、電力需給用計器用変圧変流器（ＶＣＴ）１１が組み付けられたＶＣＴユニット１と、真空高圧交流遮断器（ＶＣＢ）２１が組み付けられたＶＣＢユニット２とが上下に連結して構成されている。
また、図３，図４はユニット別の正面図を示し、図３はＶＣＴユニット１、図４はＶＣＢユニット２である。１２はＶＣＴ１１の一次側ケーブル接続部、１３は二次側ケーブル接続部、１４はＶＣＴ１１とＶＣＢ２１とを接続する接続ケーブルである。
【００１１】
ＶＣＴユニット１、ＶＣＢユニット２等を構成するユニットは、鋼材から成るフレーム部材で立方体形状に形成された骨組み構造の箱形フレームＦの内部に、変圧器等の高圧受電設備の構成要素となる設備が組み付けられて構成されている。
【００１２】
尚、ＶＣＢユニット２は図４に示すように計器類を設置するための前面パネル２ａが取り付けられており、正面から直接見えないため装置を破線で示している。そして、２２は電圧計、２３は電流計、２４は過電流継電器であり、背部に高圧変流器２５（図２に示す）等を備えている。
このように、箱形フレームＦは天板や側板等の閉塞部材を持たず、組み付ける装置に応じて内部にフレーム部材が追加されるし、電流計等の計器類が取り付けられる場合は、計器取り付けパネルが取り付けられる。
【００１３】
箱形フレームＦの寸法の一例を示すと、幅Ｗ＝７５０ｍｍ、奥行きＤ＝１１００ｍｍであり、ＶＣＴユニット１の高さＨ１＝９００ｍｍ、ＶＣＢユニット２の高さＨ２＝１２５０ｍｍである。
【００１４】
図５〜図７は高圧受電設備の構成要素である他のユニットを示し、図５は変圧器（Ｔ）３１を組み付けた変圧器収納盤ユニット（Ｔユニット）３の正面図、図６は高圧進相コンデンサ（Ｃ）４１を組み付けたコンデンサ収納盤ユニット（Ｃユニット）４の正面図、図７は限流ヒューズ付き高圧交流負荷開閉器（ＬＢＳ）５１を組み付けた限流ヒューズ付き高圧交流負荷開閉器収納盤ユニット（ＬＢＳユニット）５の正面図である。
何れのユニットも、箱形フレームＦの中に装置を組み付けて構成されている。何れの高さＨ３〜Ｈ５もＶＣＴユニット１及びＶＣＢユニット２とは異なるが、幅Ｗ及び奥行きＤは同一寸法で形成されている。
【００１５】
図８〜図１０は、これらのユニットを連結して形成した他の高圧受電設備を示し、図８はＶＣＴユニット１とＬＢＳユニット５とから成る高圧ＬＢＳ受電盤、図９はＬＢＳユニット５とＴユニット３とから成る変圧器盤、図１０は上述した高圧ＶＣＢ受電盤と変圧器盤とを一体化した設備を示している。
【００１６】
尚、図１０において変圧器盤を構成するＬＢＳユニット５は、上記図７で使用している箱形フレームＦより高さの低い箱形フレームＦを使用して組み付けられている。また、図１０において丸印Ｌ１及び二重丸Ｌ２で示した部位は連結部を示し、ユニット同士はボルト締めして連結される。丸印Ｌ１は上下の連結部、二重丸印Ｌ２は左右の連結部を示し、他のユニットの連結も同様の連結形態となっている。
【００１７】
このように、装置毎にユニット化することで個々のユニットの小型化を図ることができ、ドア幅より狭い寸法で且つドアの高さより低い寸法でユニットの作製が可能となり、室内へ持ち込んで室内の設置が可能となる。そして、ユニットの組み合わせにより必要な装置を備えた高圧受電設備を構築できるため、高圧受電設備を構築するたびに機器のレイアウトを考慮する必要が無いし、取り付けるための盤を新たに作成する必要もなくなる。また、ユニットの幅及び奥行き寸法が規格化、特に同一寸法とすることでフレームの種類を削減できるし、ユニットの連結もし易い。加えて、上下方向に連結できるため省スペースで設置できる。
また、ユニットを構成する箱形フレームＦは、側板等の閉塞部材を持たない構造を基本とするため、装置の取り付けがし易いしユニット同士の連結やユニット間のケーブルの挿通も容易に実施できる。
【００１８】
尚、ユニットの種類は上記構成に限定するものではなく、例えば計器用変流変圧器、主遮断装置、真空遮断器等が組み込まれた高圧受電ユニットや、開閉器カットアウト、高圧交流負荷開閉器、コンデンサ、リアクトル等を箱形フレームに組み付けた高圧コンデンサユニット等のユニットを形成しても良い。
また、上記実施形態では幅及び奥行きを同一寸法として連結し易く、外観上も好ましい構成としたが、横方向に連結するユニット同士は幅寸法が異なっても良好に連結できるため、幅寸法は必ずしも同一でなく何種類か規格化して必要に応じて使い分けても良い。
【符号の説明】
【００１９】
１・・ＶＣＴユニット、２・・ＶＣＢユニット、３・・Ｔユニット、４・・Ｃユニット、５・・ＬＢＳユニット、１１・・電力需給用計器用変圧変流器、２１・・真空高圧交流遮断器、３１・・変圧器、４１・・高圧進相コンデンサ、５１・・限流ヒューズ付き高圧交流負荷開閉器、Ｆ・・箱形フレーム。
【図１】
2016096699.tif 000003
【図２】
2016096699.tif 000004
【図３】
2016096699.tif 000005
【図４】
2016096699.tif 000006
【図５】
2016096699.tif 000007
【図６】
2016096699.tif 000008
【図７】
2016096699.tif 000009
【図８】
2016096699.tif 000010
【図９】
2016096699.tif 000011
【図１０】
2016096699.tif 000012